(57)【要約】
【課題】　ペットなどの小動物用の独特の匂いや糞尿などの不快な汚れや匂いが付着した
ときなどにも簡単に選択ができ、しかも保温性に優れた保温シートを提供する。
【解決手段】　
　本考案は、上記課題を解決するため、内部の畜熱が放散しないような断熱層２を最下層に配置し、その上に多孔質物質からなる気泡を有する緩衝材層３を配置し、この緩衝材層３の表面に外部からの輻射熱を反射する輻射熱反射層４を配置するとともにこの輻射熱反射層４の表面に合成樹脂繊維からなる保温層５を配した層構成のシート材の全体を不織布６によって包囲して内部シート本体を形成し、この内部シート本体１を合成繊維や合成樹脂膜からなる外部カバー１０によって挿脱可能に包囲してなる構成した。
【選択図】　　　図１
0003100492.tif 000002
【実用新案登録請求の範囲】
【請求項１】
内部の畜熱が放散しないような断熱層を最下層に配置し、その上に多孔質物質からなる気泡を有する緩衝材層を配置し、この緩衝材層の表面に外部からの輻射熱を反射する輻射熱反射層を配置するとともにこの輻射熱反射層の表面に合成樹脂繊維からなる保温層を配した層構成のシート材の全体を不織布によって包囲して内部シート本体を形成し、この内部シート本体を合成繊維や合成樹脂膜からなる外部カバーによって挿脱可能に包囲してなることを特徴とする保温シート。
【請求項２】
内部の畜熱が放散しないようなウレタン樹脂からなる断熱層を最下層に配置し、その上に発泡ポリエチレン、発泡ポリウレタン、発泡ポリプロピレン、発泡ポリスチレンから選ばれた多孔質物質の緩衝材層を配置し、この緩衝材層の表面に外部からの輻射熱を反射するアルミニウム箔を布設した輻射熱反射層を配置するとともにこの輻射熱反射層の表面にポリエチレンテレフタレートエステルからなる保温層を配置してなる層構成のシート材の全体を不織布によって包囲して内部シート本体を形成し、熱線吸収材層を含有するマイクロカプセルの表面処理した合成繊維や合成樹脂膜からなる外部カバーによって前記内部シート本体を挿脱可能に包囲してなることを特徴とする保温シート。
【請求項３】
前記外部カバーに内包される前記マイクロカプセルが１０ミクロンメートル以下の多孔質の保温性マイクロカプセルであることを特徴とする請求項２に記載の保温シート。
【考案の詳細な説明】
【技術分野】
【０００１】
　本考案は、犬や猫などのペット用小動物に使用する保温効果が大きいペット用の保温シートに関する。
【背景技術】
【０００２】
　従来、人やペット用小動物の保温シートとしては、着衣などの他には電気ヒータや面状発熱体を使用し、電力による熱源を利用したヒータ類や、蓄熱材料を予熱して使用するもの、熱湯等を熱源として利用するもの、さらには物質の酸化・還元反応時の発熱を利用するものなどがあった。しかしながら、これらの保温シートは、予熱または継続的な供給や化学反応の継続性を必要とし、予熱時に過剰加熱の危険性があったり、温度コントロールが困難であったり、電磁波などが生体に対して害を及ぼしたりすることがあり、さらには使用後の物質の廃棄に問題があるなど、様々な問題があった。
【０００３】
　そこで、これらの問題を解決するものとして、熱源を必要とせず、生体の体温を効率的に利用するものとして次のようなものが知られている。
一般的な防寒用の保温シートとして皮革、毛皮、人造又は天然毛織物などからなる表面素材層に綿などの保温材を重ね、次に、アルミ箔シートを配置して、その表面にシート状気泡材、および前記表面素材層と同質の層からなるものが知られている（特許文献１）。また、保温シートとして、下層から順次、少なくとも断熱層と、体温反射層と、保温素材からなるトップシート層と、を積層してなり、好ましくは、トップシート層と体温反射層との間に気泡性緩衝材層を介在させるものである。そして、トップシート層が発泡ポリエチレン素材からなることが好ましく、上面の表面層に不織布が積層され、この不織布に静電防止処理が施されたものである。
【０００４】
　このように構成された従来の保温シートは、外部に特定の熱源を求めなくても、人体やペットなどにおいて、その用途に最適な保温状態を作りだすことが可能となり、保温に対する熱源を体温の反射に求めることにより、人体やペットにとって火傷などの危険がある温度帯に保温器具の温度が上昇することもなく、電源コードなどの附帯設備が必要なくなり、有効な保温器具とした。
【特許文献１】特開平６−１２６８７０号公報　図面
【特許文献２】特開２００３ー８０６２３号公報図面
【考案の開示】
【考案が解決しようとする課題】
【０００５】
　しかしながら、上述した特許文献1は人体の体温が外部に拡散しないように、人体側にアルミ箔を配置し、その外側に断熱層を配置するもので、防寒用としての層構成で、人体を積極的に温めるものではない。また、特許文献２の保温シートにあっては、上面の表面層に不織布が積層され、これがカバーとなって内部の断熱層や体温反射層、気泡性緩衝材層或いは保温素材からなるトップシート層を汚れから保護するようになっていたが、この不織布の表面層に付着する汚れやペットの匂いは防ぎようがなく、保温シート全体は洗うことができないので、ペットなどの小動物独特の匂いや糞尿などの不快な汚れや匂いが付着したときなどは処置に困り、結局は保温シートを廃棄しなくてはならないような問題が発生していた。実施例において袋状の不織布内部に前記保温シートを挿入したものが記載されている。更に、最外層に不織布を配置し、この不織布に多数の貫通孔を設けたことを特徴とするもので、この貫通孔によって保温シーとの湿度、温度をコントロールするものである。しかし、貫通孔からの気体の拡散はシートの温度を下げるなどの欠点がある。
【０００６】
　本考案は、上述した従来の問題に鑑みなされたもので、ペットなどの小動物用の独特の匂いや糞尿などの不快な汚れや匂いが付着したときなどにも簡単に洗濯ができ、しかも保温性に優れた保温シートを提供するものである。
　本考案の課題は、保温性に優れ、長期間の使用にも数回の洗濯にも対応できる保温シートを提供することである。
【課題を解決するための手段】
【０００７】
　本考案は、上記課題を解決するため、内部の畜熱が放散しないような断熱層を最下層に配置し、その上に多孔質物質からなる気泡を有する緩衝材層を配置し、この緩衝材層の表面に外部からの輻射熱を反射する輻射熱反射層を配置するとともにこの輻射熱反射層の表面に合成樹脂繊維からなる保温層を配した層構成のシート材の全体を不織布によって包囲して内部シート本体を形成し、この内部シート本体を合成繊維や合成樹脂膜からなる外部カバーによって挿脱可能に包囲してなる保温シートの構成である。
【０００８】
　本考案の前記課題は、内部の畜熱が放散しないようなポリウレタン樹脂からなる断熱層を最下層に配置し、その上に発泡ポリエチレン、発泡ポリウレタン、発泡ポリプロピレン、発泡ポリスチレンから選ばれた多孔質物質の緩衝材層を配置し、この緩衝材層の表面に外部からの輻射熱を反射するアルミニウム箔を布設した輻射熱反射層を配置するとともにこの輻射熱反射層の表面にポリエチレンテレフタレートエステル樹脂からなる保温層を配してなる層構成のシート材の全体を不織布によって包囲して内部シート本体を形成し、熱線吸収材層を含有するマイクロカプセルの表面処理した合成繊維や合成樹脂膜からなる外部カバーによって前記内部シート本体を挿脱可能に包囲してなる保温シートの構成によって達成できる。
【０００９】
　本考案の保温シートに使用される最下層の保温層は、ウレタン樹脂等の弾力性のあるものが好ましく、厚みは６〜１５ｍｍのものである。
　この保温層の上に配置する緩衝材層であるクッション層として多孔質物質からなるものが好のましく、発泡ポリエチレン、発泡ポリプロピレン、発泡ポリエステル、発泡ポリスチレンなど気泡を含有する樹脂素材が使用できる。
　輻射熱反射層は、一般に知られるアルミ箔が使用でき、人や動物などから伝わる体温の輻射熱を反射させて、表面の保温層、動物などの保温効果に優れる。この保温層は天然、人造の綿などで、空気を多数保有する繊維類から形成されるものである。例えば、ポリエステル綿（ポリエチレンテレフタレートエステル樹脂）である。
【００１０】
　また、本考案における外部カバーは、天然繊維と化学繊維の混合繊維からなり、通常のポリエステルから構成されている。ウレタン樹脂より形成された１０ミクロンメートル以下の多孔質のマイクロカプセルを付着させたものである。このマイクロカプセルは熱線吸収剤を内包するものであれば、保温性に優れ、特に好ましい。
　上記構成によれば、外部カバーに付着させるマイクロカプセルの中に必要な機能を備える溶剤を封入することができるので、保温シートをペットに不可欠な蓄熱、保温、消臭、保湿、防虫などの効果を備える保温シートにすることが可能となる。また、この外部カバーに静電気発生防止加工処理を施すこともできる。
【考案の効果】
【００１１】
　上述のように構成された保温シートは、不織布によって包囲されている内部シート本体の外側に着脱可能な外部カバーを設け,内部シート本体全体を被覆してあるので、表面に臥座した犬、猫の体温が拡散されることなく、アルミ箔の輻射熱反射作用により充分な畜熱効果を発揮する。
上記構成によれば、従来の保温シートが備える保温効果の優れた面を持つと共に、取り外し可能な外部カバーにより、保温シートに付着した汚れや匂いを簡単に選択することができ、保温シートを清潔に使用すること可能となる。
内部のアルミ材の輻射熱反射層によりペットなど体温が外部に逃げることないので、ウレタン樹脂の断熱層、緩衝材層、エステル樹脂の保温層などより内部に蓄えられ、ペットなどの体温を保ことができるという優れた効果を奏するものである。
　更に、取り外し可能な外部カバーにより、保温シートに付着した汚れや匂いを簡単に選択することができ、保温シートを清潔に使用することができるので、従来の保温シートに比して長期に使用できるという優れた効果を奏するものである。
【考案を実施するための最良の形態】
【００１２】
　本考案に係る保温シートを実施するための最良の形態を図を参照して説明する。
　図１は本考案の保温シートを示す断面図、図２は図１の保温シートに使用する外部カバーを示す斜視図、図３は図１の保温シートに使用する外部カバーの実施例を示す斜視図、図４は図１の保温シートの使用状態を示す斜視図である。
【００１３】
　本考案に係る保温シートＡは、図１または図２に示すように、下層より順次、最下層のポリウレタン樹脂の断熱層２、緩衝材層３、アルミ材の輻射熱反射層４、ポリエステル樹脂の保温層５を不織布より形成された内部カバー６で包み込んだシート本体１と、前記シート本体１を包み込む取り外し可能な外部カバー１０と、から構成されている。
【００１４】
　この保温シートＡの断熱層２は、この保温シートＡを床や地面に置いた場合に、この保温シートＡに載せているペットなどの温度が外部に逃げないようにするとともに、下側からの冷たい温度が上部に伝わるのを遮断するものである。この断熱層２の厚さは６〜１５ｍｍにするのが好適である。厚さが６ｍｍ未満では十分な断熱効果が得られず、１５ｍｍ以上では保温シートが厚くなり、使用上の不便を生じてしまうからである。
【００１５】
　また、断熱層２の上に積層される緩衝材層３は、球状または立方体状の空気室が密封した状態で多数配列された構造を有するものである。素材としてはポリプロプレンやポリエチレンテレフタレート、ポリエチレンなどの合成樹脂が使用されている。発泡ウレタンや発泡ポリウレタン、発泡ポオレフィン、発泡ポリ塩化ビニル、発泡ポリスチレンなどの発泡樹脂を使用することが望ましい。
【００１６】
　また、アルミ材を使用した輻射熱反射層４は、この保温シートの上に載る人やペットなどの小動物から伝わる体温を反射させて人や小動物に放熱するものである。そのため、この輻射熱反射層４の材料としては、熱反射が良く、しかも軽い素材としてアルミニウムが使用される。このアルミニウムを薄いシート状に加工したアルミライナーを必要な寸法に裁断して使用するものである。
【００１７】
　さらに、輻射熱反射層４の上に積層される保温層５は、断熱層２より薄いポリエステル樹脂を使用した保温層である。この保温層５は、保温シートに載せる人や小動物に直接温感を与える層であることから、使用開始直後でも温感を良好にするとともに、輻射熱反射層４からの反射熱を効果的に人や小動物に伝えるようにするために、厚さは１〜３ｍｍ程度にすることが好ましい。
【００１８】
　これらの断熱層２、緩衝材層３、輻射熱反射層４、保温層５を包み込む内部カバー６には、不織布が使用される。この不織布の内部カバー６は、ポリプロピレンなどの合成樹脂材料より袋状に加工されている。そして、表面には模様付けや表面強度を上げるためにエンボス加工が施されている。
【００１９】
　更に、この内部カバー６を外側より全体的に包み込む外部カバー１０は、合成樹脂材料のポリエステルから形成した化学繊維と綿などの天然繊維を混紡したもので、袋状に加工して内部にシート本体を挿入できるようにしてある。この外部カバー１０は、図２に示すように、入口１０ａを本体１０ｂ側に固着できるように固着手段として面ファスナー１１を取り付けてある。また、固着手段は面ファスナー１１に限定されるものでなく、例えば図３に示すように、ジッパー１２などを使用してもよい。
【００２０】
　また、外部カバー１０には、蓄熱、保温効果を持たせるためにマイクロカプセル附着加工が施されている。このマイクロカプセル附着加工に使用するマイクロカプセルは、ウレタン樹脂など合成樹脂材料より直径１０ミクロンメートル（好ましくは３〜５μｍ）の多孔質のマイクロカプセルに加工し、この多孔質のマイクロカプセルに蓄熱、保温効果を持つ熱線吸収剤の溶液を注入したものである。従って、このマイクロカプセルに蓄熱、保温効果以外の機能、例えば、防虫、消臭、保湿、静電防止、紫外線カットなどの効果を持たせるには、これらの機能を持つ溶液をマイクロカプセルに注入してやれば、簡単に作ることができるものである。さらに、溶液をマイクロカプセルで包み込む方法もある。
【００２１】
　マイクロカプセル附着加工は、上述のように構成されたマイクロカプセルを外部カバー１０などの製品が仕上がった状態で、製品の繊維に附着させるもので、１平方メートル当たり約１０００万個のマイクロカプセルを附着させる。このように附着されたマイクロカプセルは、持続性が良く、１回３０分の洗濯を３０回繰り返しても、２００万個のマイクロカプセルが残るものである。また、溶液をマイクロカプセルで包み込んだものは、使用状態の機械的な摩擦や洗濯などにより、マイクロカプセルの膜が破れて中の溶液が浸透するので、さらに効果が持続するものである。
【００２２】
　このように構成された保温シートＡは、図４に示すように、実際に使用され、ペットなどの小動物Ｐが保温シートＡの上に載ると、小動物Ｐの体温が逃げず保温効果が高まり、小動物Ｐが快適になるものである。また、外部カバー１０により小動物Ｐが付着して、外部カバー１０のみ取り外して簡単に洗濯することができるので、常に清潔に保つことができるものである。そして、外部カバー１０のマイクロカプセルには、蓄熱、保温効果を持つマイクロカプセルを付着させてあるので、保温シートとしての効果が一層高まるものである。さらに、外部カバー１０のマイクロカプセルに蓄熱、保温効果以外の機能、例えば、防虫、消臭、保湿、静電防止を持たせた場合には、一層好適有効な保温シートとすることができるものである。
【実施例】
【００２３】
　断熱材　　　　ウレタン樹脂　厚み１ｃｍ
緩衝材　　　　発泡ポリエチレンシート
輻射熱反射層　アルミ箔シート
保温層　　　　ポリエチレンテレフタレートエステルシート
を順次積層したシートを不織布で包装して内部シートを形成した。
これを保温シート（従来品）とした。
前記従来品の内部シートをポリエステル繊維からなる外部カバーで包装してある保温シート（本考案Ａ）、
この外部カバーの表面を、熱線吸収材が含有されるマイクロカプセル処理を施した保温シート（本考案Ｂ）、
【００２４】
これら用意して、夫々の保温シートに日射装置により下記の条件下で日射実験を行い、保温特性について測定をした。その結果を表１に示す。
測定時の環境条件　　気温２０℃　湿度５０％RH
日射量０.２４ＫＷ/ｍ2　光源と保温シートとの距離　２.５ｍ
【表１】
0003100492.tif 000003
　この結果に示されるように本考案の製品の保温性に優れることは明らかである。特に、マイクロカプセルで処理したものが特に、保温性に優れていた。
【００２５】
　本考案の保温シートは、室内で飼育する犬や猫などのペットの保温シートとして、いつも清潔を保て、長期間の使用にも耐えることができるから家庭において気楽に使用することが出来る。
【図面の簡単な説明】
【００２６】
【図１】考案に係る保温シートを示す断面図である。
【図２】図１の保温シートに使用する外部カバーを示す斜視図である。
【図３】図１の保温シートに使用する外部カバーの実施例を示す斜視図である。
【図４】図１の保温シートの使用状態を示す斜視図である。
【符号の説明】
【００２７】
　Ａ　　　保温シート
　Ｐ　　　小動物
　１　　　シート本体
　２　　　断熱層
　３　　　緩衝材層
　４　　　輻射熱反射層
　５　　　保温層
　６　　　内部シート
１０　　　外部シート
１１　　　面ファスナー
１２　　　ジッパー
【図１】
0003100492.tif 000004
【図２】
0003100492.tif 000005
【図３】
0003100492.tif 000006
【図４】
0003100492.tif 000007